【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
グレージング層と、
前記グレージング層の下方において前記グレージング層から離れて設けられる第１の多孔質光吸収材料層であって、第１の流体流路が前記グレージング層と当該第１の多孔質光吸収材料層との間に形成される、第１の多孔質光吸収材料層と、
前記グレージング層の下方において前記グレージング層から離間して設けられる第２の多孔質光吸収材料層であって、第２の流体流路が前記グレージング層と当該第２の多孔質光吸収材料層との間に形成される、第２の多孔質光吸収材料層と、
前記第１の流体流路と前記第２の流体流路との間で熱吸収流体を分割するように構成されている入口とを備える、太陽熱ユニット。
【請求項２】
前記熱吸収流体が、前記グレージング層、前記第１の多孔質光吸収材料層、前記第２の多孔質光吸収材料層のうちの少なくともいずれかから熱を収集する、請求項１に記載の太陽熱ユニット。
【請求項３】
前記グレージング層と前記第１の多孔質光吸収材料層との間において、前記グレージング層および前記第１の多孔質光吸収材料層から離間して設けられる第１の間隙層と、
前記グレージング層と前記第２の多孔質光吸収材料層との間において、前記グレージング層および前記第２の多孔質光吸収材料層から離間して設けられる第２の間隙層とをさらに備える、請求項１または２に記載の太陽熱ユニット。
【請求項４】
前記第１の間隙層および前記第２の間隙層の少なくとも一方が、グレージングを備える、請求項３に記載の太陽熱ユニット。
【請求項５】
前記第１の間隙層および前記第２の間隙層の少なくとも一方が、光起電力パネルおよびグレージングを備える、請求項３または４に記載の太陽熱ユニット。
【請求項６】
前記第１の多孔質光吸収材料層の少なくとも一部が、第１の断熱層と前記グレージング層との間において、前記第１の断熱層および前記グレージング層から離間して設けられ、
前記第２の多孔質光吸収材料層の少なくとも一部が、第２の断熱層と前記グレージング層との間において、前記第２の断熱層および前記グレージング層から離間して設けられる、請求項１〜５のいずれか一項に記載の太陽熱ユニット。
【請求項７】
前記第１の断熱層が第１の底部および第１の側壁を備え、
前記第２の断熱層が第２の底部および第２の側壁を備える、請求項６に記載の太陽熱ユニット。
【請求項８】
前記グレージング層の少なくとも一部と、前記第１の底部と、前記第１の側壁とが第１の密閉された流れチャンバを形成し、
前記グレージング層の少なくとも一部と、前記第２の底部と、前記第２の側壁とが第２の密閉された流れチャンバを形成する、請求項７に記載の太陽熱ユニット。
【請求項９】
前記第１の多孔質光吸収材料層と前記第２の多孔質光吸収材料層との間に設けられるプレナムをさらに備える、請求項１〜８のいずれか一項に記載の太陽熱ユニット。
【請求項１０】
前記プレナムは、前記入口と、プレナムカバーと、前記プレナムカバーの下方の上部プレナムチャンバとをさらに備え、
前記プレナムカバーが光起電力パネルを備える、請求項９に記載の太陽熱ユニット。
【請求項１１】
前記熱吸収流体は、前記第１の流体流路または前記第２の流体流路に沿って進む前に、前記入口を通って前記上部プレナムチャンバに流入し前記光起電力パネルから熱を収集する、請求項１０に記載の太陽熱ユニット。
【請求項１２】
前記第１の流体流路が、前記熱吸収流体を、前記入口から、前記グレージング層の内側表面と前記第１の間隙層の上部表面とに沿って、前記第１の間隙層の底部表面と前記第１の多孔質光吸収材料層の上部表面とに沿って、前記第１の多孔質光吸収材料層を通って、出口へ導くように構成されており、
前記第２の流体流路が、前記熱吸収流体を、前記入口から、前記グレージング層の内側表面と前記第２の間隙層の上部表面とに沿って、前記第２の間隙層の底部表面と前記第２の多孔質光吸収材料層の上部表面とに沿って、前記第２の多孔質光吸収材料層を通って、前記出口へ導くように構成されている、請求項３〜５のいずれか一項に記載の太陽熱ユニット。
【請求項１３】
グレージング層と、
前記グレージング層の下方において、前記グレージング層から離間して設けられる第１の多孔質光吸収材料層と、
前記グレージング層と前記第１の多孔質光吸収材料層との間において、前記グレージング層および前記第１の多孔質光吸収材料層から離間して設けられる第１の間隙層と、
熱吸収流体の第１部分を、前記グレージング層の内側表面に沿って、前記第１の多孔質光吸収材料層を通って出口へ導く第１の流体流路と、
前記グレージング層の下方において、前記グレージング層から離間して設けられている第２の多孔質光吸収材料層と、
前記グレージング層と前記第２の多孔質光吸収材料層との間において、前記グレージング層および前記第２の多孔質光吸収材料層から離間して設けられる第２の間隙層と、
前記熱吸収流体の第２部分を、前記グレージング層の前記内側表面に沿って、前記第２の多孔質光吸収材料層を通って出口へ導く第２の流体流路と、
前記第１の流体流路と前記第２の流体流路との間で前記熱吸収流体を分割するように構成されている入口とを備える、太陽熱ユニット。
【請求項１４】
前記第１の間隙層および前記第２の間隙層の少なくとも一方は、光起電力パネルおよびグレージングの少なくとも一方を備える、請求項１３に記載の太陽熱ユニット。
【請求項１５】
前記第１の多孔質光吸収材料層および前記第２の多孔質光吸収材料層を少なくとも部分的に取り囲むように構成されている入口プレナムをさらに備え、
前記入口プレナムが、前記入口と前記出口と内側表面とを備える、請求項１３または１４に記載の太陽熱ユニット。
【請求項１６】
前記入口プレナムと前記第１の多孔質光吸収材料層および前記第２の多孔質光吸収材料層の少なくとも一方との間において、前記入口プレナムと前記第１の多孔質光吸収材料層および前記第２の多孔質光吸収材料層の少なくとも一方とから離間して設けられる断熱層をさらに備える、請求項１５に記載の太陽熱ユニット。
【請求項１７】
前記断熱層が、上部表面、底部表面、第１の側壁および第２の側壁を備える、請求項１６に記載の太陽熱ユニット。
【請求項１８】
前記第１の流体流路が、前記熱吸収流体を、
前記入口から、
前記入口プレナムの前記内側表面と前記断熱層の前記底部表面との間を通り、
前記入口プレナムの前記内側表面と前記断熱層の前記第１の側壁との間を通り、
前記グレージング層と前記第１の間隙層との間を通り、
前記第１の間隙層および前記第２の間隙層の間に設けられる第１の移行部を通り、
前記第１の間隙層と前記第１の多孔質光吸収材料層との間を通り、
前記第１の多孔質光吸収材料層を通り、
前記第１の多孔質光吸収材料層と前記断熱層の前記上部表面との間を通り、
前記出口へ導くように構成されている、請求項１７に記載の太陽熱ユニット。
【請求項１９】
前記第２の流体流路が、前記熱吸収流体を、
前記入口から、
前記入口プレナムの前記内側表面と前記断熱層の前記底部表面との間を通り、
前記入口プレナムの前記内側表面と前記断熱層の前記第２の側壁との間を通り、
前記グレージング層と前記第２の間隙層との間を通り、
前記第１の移行部を通り、
前記第２の間隙層と前記第２の多孔質光吸収材料層の間を通り、
前記第２の多孔質光吸収材料層を通り、
前記出口へ導くように構成されている、請求項１８に記載の太陽熱ユニット。
【請求項２０】
前記第１の移行部において、前記第１の流体流路の前記熱吸収流体が前記第２の流体流路の前記熱吸収流体と混ざりあう、請求項１９に記載の太陽熱ユニット。